(57)【要約】【課題】回転ブラシ及び吸込具内に形成される風路をより容易に清掃することができる吸込具を提供する。【解決手段】吸込具６は、上ケース体１０を下ケース体９に対して着脱させる着脱レバー１５と、回転ブラシ２５と、を備える。下ケース体９は、吸込口に連通する開口が形成された本体円筒部２０と、吸込口からこの開口にかけて形成される下壁部３２とを有する。上ケース体１０は、下壁部３２と組み合わさることによって吸込口から本体円筒部２０の開口にかけて吸込風路を形成する上壁部３６を有する。回転ブラシ２５は、着脱レバー１５によって上ケース体１０が下ケース体９に対して取り外されると着脱自在になる。【選択図】図９
2017184953.tif 000002
【特許請求の範囲】
【請求項１】
吸込口が形成された下ケース体及び前記下ケース体に対して着脱自在な上ケース体を有する本体と、
前記上ケース体を前記下ケース体に対して着脱させる着脱手段と、
前記下ケース体及び前記上ケース体によって前記本体に保持される回転ブラシと、
を備え、
前記下ケース体は、前記吸込口に連通する開口が形成された接続部と前記吸込口から前記開口にかけて形成される下壁部とを有し、
前記上ケース体は、前記下壁部と組み合わさることによって前記吸込口から前記開口にかけて吸込風路を前記本体の内部に形成する上壁部を有し、
前記回転ブラシは、前記着脱手段によって前記上ケース体が前記下ケース体に対して取り外されると着脱自在になる吸込具。
【請求項２】
前記下ケース体及び前記上ケース体に保持され、前記回転ブラシを回転させる車輪を備え、
前記車輪は、前記着脱手段によって前記上ケース体が前記下ケース体に対して取り外されると着脱自在になる請求項１に記載の吸込具。
【請求項３】
前記上ケース体の縁部は、前記下ケース体の縁部によって外周を覆われている請求項１または請求項２に記載の吸込具。
【請求項４】
前記下ケース体の縁部は、前記上ケース体の縁部によって外周を覆われている請求項１または請求項２に記載の吸込具。
【請求項５】
前記着脱手段は、爪部を有し、前記上ケース体及び前記下ケース体の一方に設けられ、
前記上ケース体及び前記下ケース体の他方は、前記爪部が着脱自在に嵌め込まれる爪受部を有し、
前記爪部は、前記着脱手段が移動することによって前記爪受部に着脱される請求項１から請求項４の何れか１項に記載の吸込具。
【請求項６】
前記着脱手段は、前記一方の後部に設けられる請求項５に記載の吸込具。
【請求項７】
前記着脱手段は、前記本体の最上部よりも低い位置に配置されている請求項６に記載の吸込具。
【請求項８】
前記本体は左右方向を長手方向として形成され、
前記爪部は、前記着脱手段が前記本体の長手方向外側に向かって移動することによって前記爪受部に嵌め込まれ、前記着脱手段が前記本体の長手方向内側に向かって移動することによって前記爪受部から取り外される請求項５から請求項７の何れか１項に記載の吸込具。
【請求項９】
前記着脱手段は前記上ケース体に設けられ、
前記下ケース体は、前記爪受部を有し、
前記爪受部の上部には、前記本体の長手方向外側から前記本体の長手方向内側にかけて下方へ傾斜する傾斜面が形成されている請求項８に記載の吸込具。
【請求項１０】
前記接続部に接続される継手を備え、
前記上ケース体は、前記接続部と共に前記継手に接続される上接続部を有し、
前記着脱手段は、前記上接続部よりも前記本体の長手方向外側に配置され、
前記着脱手段と前記接続部との間には、前記上接続部に連なる手掛部が形成されている請求項８または請求項９に記載の吸込具。
【請求項１１】
前記上ケース体及び前記下ケース体は、平面視において前部が円弧状であり、
前記上ケース体は、前側爪部を前部の中央部に有し、
前記下ケース体は、前記前側爪部が着脱自在に嵌め込まれる前側爪受部を前部の中央部に有する請求項５から請求項１０の何れか１項に記載の吸込具。
【請求項１２】
前記爪部が前記爪受部に嵌め込まれていてかつ前記前側爪部が前記前側爪受部の上部に接触しているとき、前記上ケース体の前部に下方向への荷重が加わると、前記前側爪部は弾性変形して前記前側爪受部に嵌め込まれる請求項１１に記載の吸込具。
【請求項１３】
請求項１から請求項１２の何れか１項に記載の吸込具及び掃除機本体を備える電気掃除機。
【発明の詳細な説明】
【技術分野】
【０００１】
本発明は、吸込具及びこの吸込具を備えた電気掃除機に関する。
【背景技術】
【０００２】
特許文献１に、掃除機用の吸込具が記載されている。特許文献１に記載の吸込具は、吸込具ケース及び開閉蓋を備える。吸込具ケースは、上ケースと下ケースとから成る。上ケースは、下ケースの後側の上部に固定される。開閉蓋は、吸込具ケースの前側上部に、着脱自在に設けられる。
【０００３】
特許文献１に記載の吸込具においては、吸込具ケース及び開閉蓋によって、回転ブラシが保持されている。回転ブラシは、吸込具ケースから開閉蓋が取り外されることにより、着脱自在となる。特許文献１に記載の吸込具であれば使用者は、回転ブラシを容易に清掃することができる。
【先行技術文献】
【特許文献】
【０００４】
【特許文献１】特開２０１５−１９２７８７号公報
【発明の概要】
【発明が解決しようとする課題】
【０００５】
上記特許文献１に記載の吸込具において、吸込具ケースの後部には、接続管が接続されている。下ケースには、吸込口が形成されている。吸込具の内部には、吸込口から接続管にかけて風路が形成されている。上記特許文献１に記載の吸込具では、開閉蓋が吸込具ケースから取り外されても、下ケースは前側の一部分しか開放されない。このため使用者は、吸込口から接続管にかけて形成される風路を清掃することが難しい。
【０００６】
本発明は、上記のような課題を解決するためになされたものである。本発明の目的は、回転ブラシ及び吸込具内に形成される風路をより容易に清掃することができる吸込具と、この吸込具を備えた電気掃除機と、を提供することである。
【課題を解決するための手段】
【０００７】
本発明に係る吸込具は、吸込口が形成された下ケース体及び下ケース体に対して着脱自在な上ケース体を有する本体と、上ケース体を下ケース体に対して着脱させる着脱手段と、下ケース体及び上ケース体に保持される回転ブラシと、を備える。下ケース体は、吸込口に連通する開口が形成された接続部と、吸込口からこの開口にかけて形成される下壁部とを有する。上ケース体は、下壁部と組み合わさることによって吸込口から接続部の開口にかけて吸込風路を本体の内部に形成する上壁部を有する。回転ブラシは、着脱手段によって上ケース体が下ケース体に対して取り外されると着脱自在になる。
【０００８】
本発明に係る電気掃除機は、上記の吸込具及び掃除機本体を備えるものである。
【発明の効果】
【０００９】
本発明に係る吸込具及び電気掃除機は、上ケース体を下ケース体に対して着脱させる上記の着脱手段を備える。また上ケース体は、下ケースの下壁部と組み合わさることによって吸込口から接続部の開口にかけて吸込風路を形成する上壁部を有する。回転ブラシは、着脱手段によって上ケース体が下ケース体に対して取り外されると着脱自在になる。これにより、回転ブラシ及び吸込具内に形成される風路をより容易に清掃することができる。
【図面の簡単な説明】
【００１０】
【図１】実施の形態１の吸込具を備えた電気掃除機の斜視図である。
【図２】実施の形態１の吸込具を示す前方斜視図である。
【図３】実施の形態１の吸込具を示す後方斜視図である。
【図４】実施の形態１の吸込具を示す平面図である。
【図５】実施の形態１の吸込具を示す底面図である。
【図６】実施の形態１の吸込具を示す正面図である。
【図７】実施の形態１の吸込具本体と継手と抜止片とを分解した状態を示す斜視図である。
【図８】実施の形態１の吸込具の継手が回転した状態の斜視図である。
【図９】実施の形態１の上ケース体の後部が浮いた状態の吸込具を示す斜視図である。
【図１０】実施の形態１の上ケース体が取り外された吸込具を示す斜視図である。
【図１１】実施の形態１の上ケース体が取り外された吸込具の後方分解斜視図である。
【図１２】実施の形態１の上ケース体が取り外された吸込具の前方分解斜視図である。
【図１３】実施の形態１の継手が接続された下ケース体を示す平面図である。
【図１４】実施の形態１の上ケース体の底面図である。
【図１５】実施の形態１の上ケース体の上面側を示す斜視図である。
【図１６】実施の形態１の上ケース体の底面側を示す斜視図である。
【図１７】実施の形態１の吸込具の内部の風路を示す断面イメージ図である。
【図１８】実施の形態１の着脱レバーがレバー受部に嵌め込まれた状態を示す図である。
【図１９】実施の形態１の着脱レバーがレバー受部から取り外された状態を示す図である。
【図２０】実施の形態１の着脱レバーがレバー受部に嵌め込まれる動きを示す図である。
【図２１】実施の形態１の前側爪部が前側爪受部に嵌め込まれる動きを示す断面イメージ図である。
【図２２】実施の形態１の前側爪部が前側爪受部に嵌め込まれた状態を示す断面イメージ図である。
【発明を実施するための形態】
【００１１】
以下、添付の図面を参照して、実施の形態について説明する。尚、各図における同一部分または相当部分には、同一の符号を付して、重複する説明を簡略化または省略する。
【００１２】
実施の形態１．
図１は、実施の形態１の吸込具を備えた電気掃除機の斜視図である。電気掃除機は、例えば掃除機本体１、吸引ホース２、接続パイプ３、ハンドル体４、延長管５及び吸込具６を備えている。
【００１３】
掃除機本体１は、例えば電動送風機及び集塵部を有する装置である。吸引ホース２、接続パイプ３、ハンドル体４及び延長管５は、それぞれ内部に風路を有する部品である。掃除機本体１には、吸引ホース２の一端が接続される。吸引ホース２の他端は、接続パイプ３及びハンドル体４を介し、延長管５の一端に接続される。延長管５の他端には、吸込具６が接続される。
【００１４】
本実施の形態の吸込具６は、吸込具本体７及び継手８を有する。吸込具本体７は、吸込具６の筐体に相当する部分である。継手８は、内部に風路を有する部品である。吸込具本体７は、継手８を介して延長管５に接続される。すなわち継手８は、吸込具本体７及び延長管５に接続される。本実施の形態において継手８は、先端部が吸込具本体７に、基端部が延長管５に接続される。
【００１５】
吸込具６は、空気と共に塵埃を吸い込む装置である。ここで、例えばゴミ、塵埃、毛髪、繊維等のように、吸込具６の清掃対象となる物質を総称して塵埃と表記することとする。吸込具６は、例えば被清掃物に付着した塵埃を吸い込む。本実施の形態の吸込具６の被清掃物は、例えばふとん及びシーツ等の軟質の物、あるいは床面等の硬質の物である。
【００１６】
以下、吸込具６について、図面を参照してより具体的に説明する。図２は、実施の形態１の吸込具６を示す前方斜視図である。図３は、実施の形態１の吸込具６を示す後方斜視図である。図４は、実施の形態１の吸込具６を示す平面図である。図５は、実施の形態１の吸込具６を示す底面図である。図６は、実施の形態１の吸込具６を示す正面図である。
【００１７】
本実施の形態の吸込具本体７は、例えば下ケース体９及び上ケース体１０を有する。ここで本実施の形態においては、吸込具本体７の中心に対して下ケース体９が位置している方向を下方向とする。また吸込具本体７の中心に対して上ケース体１０が位置している方向を上方向とする。すなわち下ケース体９は、吸込具本体７の下側を形成する部分である。上ケース体１０は、吸込具本体７の上側を形成する部分である。
【００１８】
また本実施の形態では、吸込具本体７の長手方向、すなわち下ケース体９及び上ケース体１０の長手方向を左右方向とする。以下では、吸込具本体７の長手方向を単に長手方向と記載する。また、吸込具本体７に対して継手８が設けられる方向を、後方向とする。使用時に、使用者が主に動かすことが想定される方向を前方向、すなわち正面方向とする。
【００１９】
下ケース体９は、使用時に被清掃物に対向する底面１１を有する。すなわち底面１１は、下ケース体９の下部を形成している。下ケース体９の底面１１には、塵埃を含んだ空気を吸い込むための吸込口１２が形成されている。
【００２０】
また下ケース体９は、一例として吸着防止リブ１３を有していてもよい。吸着防止リブ１３は、例えばふとん及びシーツ等の軟質の被清掃物が吸込口１２に吸着されることを防止するものである。本実施の形態の吸着防止リブ１３は、吸着防止部の一例である。
【００２１】
下ケース体９は、一例として図２、図５及び図６に示すように、複数の吸着防止リブ１３を有する。吸着防止リブ１３は、底面１１から下方に向けて突出するように形成される。吸着防止リブ１３は、例えば吸込口１２の前方に形成される。吸着防止リブ１３は、例えば左右方向に並んで配置される。
【００２２】
吸着防止リブ１３は、被清掃物と底面１１との間に隙間を形成する。吸着防止リブ１３は、被清掃物と吸込口１２との間に風路を形成する。これにより、吸着防止リブ１３は、被清掃物が吸込口１２に吸着されることを防止する。
【００２３】
また下ケース体９は、例えば高さ増加リブ１４を有していてもよい。高さ増加リブ１４は、例えば吸着防止リブ１３に並んで配置されている。高さ増加リブ１４は一例として、２つ形成される。２つの高さ増加リブ１４は、例えば吸着防止リブ１３の左方及び右方にそれぞれ配置される。高さ増加リブ１４は、例えば図６に示すように、吸着防止リブ１３よりも下方に突出している。
【００２４】
上ケース体１０は、例えば下ケース体９に対して着脱自在に形成されている。吸込具６は、一例として着脱レバー１５を備える。着脱レバー１５は、例えば図２から図５に示すように、上ケース体１０に設けられる。着脱レバー１５は、上ケース体１０を下ケース体９に対して着脱させる着脱手段の一例である。使用者は、例えばこの着脱レバー１５を操作することによって、上ケース体１０を下ケース体９に対して自在に着脱させることができる。
【００２５】
一例として上ケース体１０の後部には、レバー保持部１６が形成される。レバー保持部１６は、例えば２つ形成される。レバー保持部１６は、例えば上ケース体１０の後部の左側及び右側に形成される。吸込具６は、一例として２つの着脱レバー１５を備える。２つの着脱レバー１５は、それぞれこのレバー保持部１６に設けられる。
【００２６】
またレバー保持部１６は、例えば上ケース体１０の最上部よりも低い位置となるように形成される。すなわち着脱レバー１５は、上ケース体１０の最上部よりも低い位置に配置される。
【００２７】
また上ケース体１０の上部には、吸込力調整孔１７が形成されていてもよい。吸込力調整孔１７は、上ケース体１０の上部を貫通している。吸込力調整孔１７は、吸込具６が空気を吸い込む力を調整するために設けられる。この吸込力調整孔１７によって、例えば空気を吸い込む力が過度に強くなることが防止される。これにより、例えばふとん及びシーツ等の軟質の被清掃物が吸込口１２に吸着されることが防止される。
【００２８】
また平面視において本実施の形態の吸込具本体７の前部は、一例として図４及び図５に示すように、円弧状に形成されている。すなわち下ケース体９及び上ケース体１０の前部は、平面視において円弧状である。なお、下ケース体９及び上ケース体１０の形状は、本例に限定されるものではない。
【００２９】
上述のように吸込具６は、内部に風路を有する継手８を備える。継手８の先端部は、吸込具本体７の後部に接続される。本実施の形態の継手８は、継手円筒部１８を有する。継手円筒部１８は、円筒状の部分である。継手円筒部１８は、継手８の先端部に形成される。継手円筒部１８は、吸込具本体７の後部に接続される部分である。
【００３０】
また本実施の形態の吸込具６は、一例として抜止片１９を備えてもよい。抜止片１９は、吸込具本体７と継手８とを互いに抜け止めされた状態で接続させる部品である。また抜止片１９は、吸込具本体７と継手８とを、互いに回転可能な状態で接続させる。抜止片１９は、例えば吸込具本体７の後部及び継手円筒部１８に嵌め込まれる。
【００３１】
図７は、実施の形態１の吸込具本体７と継手８と抜止片１９とを分解した状態を示す斜視図である。吸込具本体７は、継手８に接続される接続部の一例として、本体円筒部２０を有する。本体円筒部２０は円筒状の部位である。本体円筒部２０の内部には、風路が形成される。本体円筒部２０は、吸込口１２に連通している。
【００３２】
すなわち吸込具本体７の内部には、吸込口１２から本体円筒部２０にかけて風路が形成されている。吸込具６及びこの吸込具６を備えた電気掃除機は、吸込口１２から本体円筒部２０にかけて空気を吸引することによって、被清掃物の清掃を行う装置である。
【００３３】
本体円筒部２０は、例えば吸込具本体７の後部の中央部に形成される。また本実施の形態において本体円筒部２０は、一例として下ケース体９の一部として形成される。すなわち下ケース体９は、本体円筒部２０を有する。本体円筒部２０は、下ケース体９の後部の中央部に形成される。
【００３４】
本実施の形態において本体円筒部２０は、継手円筒部１８に挿入される。本体円筒部２０と継手円筒部１８とは、互いの中心軸が同軸上になるように配置される。すなわち、継手円筒部１８は、本体円筒部２０の外周に位置する。
【００３５】
なお継手円筒部１８及び本体円筒部２０は、一方が他方に挿入されていればよい。例えば、継手円筒部１８が本体円筒部２０に挿入されてもよい。すなわち、継手円筒部１８は、本体円筒部２０の内周に位置していてもよい。
【００３６】
本体円筒部２０は、図７に示すように溝部２１を有する。溝部２１は、本体円筒部２０の外周に渡って形成される。溝部２１は、本体円筒部２０の径方向外方に向かって凹状となっている部位である。溝部２１は、例えば本体円筒部２０の周方向に沿って形成される。溝部２１は、例えば本体円筒部２０の軸方向の平面視において環状になっている。
【００３７】
また継手円筒部１８は、例えば図７に示すように孔部２２を有する。本実施の形態の孔部２２は、一部に貫通孔２２ａを含む。貫通孔２２ａは、継手円筒部１８の径方向に沿って貫通している。貫通孔２２ａは、本体円筒部２０が継手円筒部１８に挿入された状態のとき、溝部２１に対向する。なお孔部２２は、少なくとも一部が貫通していればよい。例えば本実施の形態以外にも、孔部２２は全体が貫通している孔状の部位であってもよい。
【００３８】
本実施の形態の抜止片１９は、一例として、本体円筒部２０の軸方向から見たときに円弧状の形状になっている。抜止片１９は、一例として、継手円筒部１８及び本体円筒部２０の周方向に沿った形になっている。また抜止片１９は、溝部２１及び孔部２２の形状に合わせた形に形成される。
【００３９】
溝部２１及び孔部２２の形状に合わせた形の抜止片１９は、溝部２１及び孔部２２に嵌め込まれる。一例として抜止片１９は、一端側が溝部２１に、他端側が孔部２２に嵌め込まれる。例えば抜止片１９は、組み付けられる際、一端部が孔部２２の貫通孔２２ａを介して溝部２１に嵌め込まれる。
【００４０】
溝部２１及び孔部２２に嵌め込まれた抜止片１９によって、吸込具本体７と継手８とは、互いに回転可能な状態で接続される。図８は、実施の形態１の吸込具６の継手８が回転した状態を示す斜視図である。本実施の形態の継手８は、一例として図８に示すように、継手８の基端部が吸込具本体７に対して水平左斜め後方に向くまで回転可能となっている。
【００４１】
また継手８は、例えば図８の状態から９０度回転した状態、すなわち基端部が吸込具本体７に対して水平左斜め後方に向くまで回転可能となっている。ここで、例えば図２から図６に示すように、継手８の基端部が左右方向に傾かずに斜め上後方に向いている状態を基準状態とする。継手８は、例えばこの基準状態から、左右方向にそれぞれ９０度ずつ回転可能に形成される。
【００４２】
また上ケース体１０は、一例として、半円筒状の上接続部２３を有していてもよい。上ケース体１０は、一例として、後部の中央部に上接続部２３を有する。上接続部２３は、下ケース体９の本体円筒部２０を上方から覆う。上接続部２３は、本体円筒部２０とともに、継手８に接続される部位である。
【００４３】
本実施の形態において、レバー保持部１６は、上接続部２３に対して、長手方向外側に位置する。着脱レバー１５は、上接続部２３に対して、長手方向外側に配置される。
【００４４】
また上ケース体１０の後部には、例えば図３から図５に示すように、手掛部２４が形成されてもよい。使用者は、着脱レバー１５によって上ケース体１０を着脱させる際に、この手掛部２４を持って上ケース体１０を下ケース体９に対して着脱させることができる。
【００４５】
手掛部２４は、例えば上下方向に扁平な板状の部位である。板状の手掛部２４は、例えば左右方向、すなわち長手方向に伸びるように形成される。また手掛部２４は、例えば着脱レバー１５と上接続部２３との間に形成される。本実施の形態において手掛部２４は、上接続部２３に連なっている。
【００４６】
次に、吸込具６の内部の構造について、図面を参照してより具体的に説明する。図９は、実施の形態１の上ケース体１０の後部が取り外された状態の吸込具６を示す斜視図である。図１０は、実施の形態１の上ケース体１０が取り外された吸込具６を示す斜視図である。図１１は、実施の形態１の上ケース体１０が取り外された吸込具６の後方分解斜視図である。また図１２は、実施の形態１の上ケース体１０が取り外された吸込具６の前方分解斜視図である。
【００４７】
吸込具６は、図９から図１２に示すように、回転ブラシ２５を備える。回転ブラシ２５は、被清掃物に付着した塵埃をかき出すためのものである。回転ブラシ２５は、ブラシ軸２５ａを有する。ブラシ軸２５ａは、回転ブラシ２５の回転軸となる部分である。またブラシ軸２５ａには、第１歯車２６が設けられる。第１歯車２６は、例えばブラシ軸２５ａの一端部と他端部とに設けられる。回転ブラシ２５及び第１歯車２６は、下ケース体９と上ケース体１０とが組み合わされることによって吸込具本体７に保持される。
【００４８】
また吸込具６は、図９から図１２に示すように、一例として車輪２７を備える。吸込具６は、例えば車輪２７を２つ備える。車輪２７には、車軸２７ａが設けられる。車軸２７ａは、車輪２７と一体となって回転する部位である。車軸２７ａには、第２歯車２８が設けられる。車輪２７、車軸２７ａ及び第２歯車２８は、下ケース体９と上ケース体１０とが組み合わされることによって保持される。なお車輪２７と車軸２７ａとは、１つの部品として一体的に形成されていてもよい。
【００４９】
図１３は、実施の形態１の継手８が接続された下ケース体９を示す平面図である。言い換えると図１３は、吸込具６から上ケース体１０、回転ブラシ２５、第１歯車２６、車輪２７、車軸２７ａ及び第２歯車２８が取り外された状態を示している。
【００５０】
図９から図１３に示すように、下ケース体９は、下車輪保持部２９を有する。下車輪保持部２９は、車輪２７を保持するための部位である。下車輪保持部２９は、例えば２つ形成される。下車輪保持部２９は、車輪２７の下側部分を囲うように形成される。下車輪保持部２９は、例えば図９から図１３に示すように、枠状の部位である。一例として下車輪保持部２９は、車輪２７の前方、後方、左方及び右方に位置する壁状の部材によって形成される。下車輪保持部２９は、例えば上下方向に伸びる壁状の部材によって形成される。
【００５１】
本実施の形態において下車輪保持部２９には、一例として凹部２９ａが形成されている。凹部２９ａは、例えば下車輪保持部２９の右部と左部とに形成される。凹部２９ａは、車軸２７ａが収められる部位である。
【００５２】
底面１１には、一例として車輪突出口３０が開口している。車輪突出口３０は、下車輪保持部２９の下方に形成される。下車輪保持部２９に設けられた車輪２７は、例えば図５及び図６に示すように、一部が車輪突出口３０から下方に突出している。
【００５３】
また下ケース体９は、図９から図１３に示すように、下歯車保持部３１を有する。下歯車保持部３１は、第１歯車２６及び第２歯車２８の下部が収められる部位である。下歯車保持部３１は、例えば上下方向に伸びる壁状の部材によって形成される枠状の部位である。下歯車保持部３１には、第１歯車２６と第２歯車２８とが、互い噛み合った状態で収められる。これにより、回転ブラシ２５と車輪２７とが連動する。
【００５４】
上述のように、本実施の形態において本体円筒部２０は、下ケース体９の一部として形成される。この本体円筒部２０には、図１２及び図１３に示すように、前方に向く開口２０ａが形成されている。上述したように吸込具本体７の内部には、吸込口１２から本体円筒部２０にかけて風路が形成されている。上ケース体１０が下ケース体９に取り付けられた状態で、開口２０ａは、吸込口１２と連通している。
【００５５】
本実施の形態の下ケース体９は、図９から図１３に示すように、下壁部３２を有する。下壁部３２は、例えば上下方向に伸びる壁状の部材によって形成される。下壁部３２は、吸込口１２から開口２０ａにかけて形成される。下壁部３２は、吸込口１２と開口２０ａとを繋ぐように形成される。下壁部３２は、例えば図１３に示すように、平面視において吸込口１２を囲うように配置される。
【００５６】
一例として回転ブラシ２５は、図１２に示すように下壁部３２に設けられてもよい。回転ブラシ２５は、例えば図６に示すように、吸込口１２から一部が露出するように設けられる。また下壁部３２には、ブラシ保持凹部３２ａが形成されてもよい。ブラシ保持凹部３２ａは、ブラシ軸２５ａが収められる凹型の部分である。下壁部３２に設けられた回転ブラシ２５は、下ケース体９に対して上ケース体１０が取り外された状態では、着脱自在となっている。
【００５７】
また図９から図１３に示すように、下ケース体９は、一例としてレバー受部９ａを有する。レバー受部９ａは、着脱レバー１５が着脱自在に嵌め込まれる爪状の部分である。レバー受部９ａは、例えば下ケース体９の後部左側及び後部右側に形成される。レバー受部９ａは、着脱レバー１５の位置に合わせて配置される。またレバー受部９ａは、着脱レバー１５の形状に合わせた形状に形成される。
【００５８】
着脱レバー１５及びレバー保持部１６は、例えば着脱レバー１５が長手方向に沿って移動できるように形成される。着脱レバー１５は、例えばレバー保持部１６内で長手方向に沿って移動することで、レバー受部９ａに着脱される。使用者は、着脱レバー１５をレバー受部９ａに着脱させることによって、上ケース体１０を下ケース体９に対して着脱させる。
【００５９】
また下ケース体９の全体の外形は、例えば図１１及び図１２に示すように、上方に凹な形状となっている。本実施の形態の下ケース体９は、下ケース体縁部３３を有する。下ケース体縁部３３は、下ケース体９の縁の部分である。下ケース体縁部３３は、壁状の部位である。下ケース体縁部３３は、平面視における下ケース体９の外周部を形成する。
【００６０】
ここで、上ケース体１０について、図面を参照してより具体的に説明する。図１４は、実施の形態１の上ケース体１０の底面図である。図１５は、実施の形態１の上ケース体１０の上面側を示す斜視図である。また図１６は、実施の形態１の上ケース体の底面側を示す斜視図である。図１６においては、紙面上の上方が、上ケース体１０の下方となる。
【００６１】
図１４及び図１６に示すように、上ケース体１０は、上車輪保持部３４を有する。上車輪保持部３４は、車輪２７を保持するための部位である。上車輪保持部３４は、例えば２つ形成される。上車輪保持部３４は、車輪２７の上側部分を囲うように形成される。上車輪保持部３４は、例えば図１４及び図１６に示すように、枠状の部位である。一例として上車輪保持部３４は、車輪２７の前方、後方、左方及び右方に位置する壁状の部材によって形成される。上車輪保持部３４は、例えば上下方向に伸びる壁状の部材によって形成される。
【００６２】
上車輪保持部３４は、下車輪保持部２９と対向する。上ケース体１０が下ケース体９に対して取り付けられると、上車輪保持部３４は下車輪保持部２９と組み合わされる。車輪２７は、上車輪保持部３４と下車輪保持部２９とが組み合わされることによって保持される。
【００６３】
また上車輪保持部３４には、一例として図１６に示すように、凸部３４ａが形成されていてもよい。凸部３４ａは、例えば上車輪保持部３４の右部と左部とに形成される。凸部３４ａは、凹部２９ａと対向する。上ケース体１０が下ケース体９に対して取り付けられると、凸部３４ａは凹部２９ａと組み合わされる。凹部２９ａに収められた車軸２７ａは、凹部２９ａと凸部３４ａとによって挟まれた状態で保持される。また上ケース体１０が下ケース体９から取り外されると、車輪２７及び車軸２７ａは着脱自在になる。
【００６４】
上ケース体１０は、図１４及び図１６に示すように、上歯車保持部３５を有する。上歯車保持部３５は、第１歯車２６及び第２歯車２８の上部が収められる部位である。上歯車保持部３５は、例えば上下方向に伸びる壁状の部材によって形成される枠状の部位である。上歯車保持部３５は、下歯車保持部３１と対向する。上ケース体１０が下ケース体９に対して取り付けられると、上歯車保持部３５は下歯車保持部３１組み合わされる。第１歯車２６及び第２歯車２８は、上歯車保持部３５と下歯車保持部３１とが組み合わされることによって保持される。
【００６５】
また上ケース体１０は、図１４及び図１６に示すように、上壁部３６を有する。上壁部３６は、例えば上下方向に伸びる壁状の部材によって形成される。上壁部３６は、図１４及び図１６に示すように、下壁部３２と対向するように形成される。上壁部３６は、下壁部３２と組み合わさることによって、吸込具本体７の内部に風路を形成する部位である。
【００６６】
図１７は、実施の形態１の吸込具６の内部の風路を示す断面イメージ図である。上ケース体１０が下ケース体９に対して取り付けられると、上壁部３６は下壁部３２と組み合わされる。上壁部３６と下壁部３２とが組み合わされることによって、例えば図１７に示すように、吸込口１２から開口２０ａにかけて吸込風路３７が形成される。また、この吸込風路３７は、例えば図９から図１６に示すように、上ケース体１０が下ケース体９に対して取り外されることによって開放される。
【００６７】
また上ケース体１０の全体の外形は、例えば図１４から図１７に示すように、下方に凹な形状となっている。本実施の形態の上ケース体１０は、上ケース体縁部３８を有する。上ケース体縁部３８は、上ケース体１０の縁の部分である。上ケース体縁部３８は、壁状の部位である。上ケース体縁部３８は、平面視における上ケース体１０の外周部を形成する。本実施の形態の吸込具６において、上ケース体１０は、例えば図３から図９に示すように、上ケース体縁部３８が下ケース体縁部３３によって外周を覆われるように設けられる。
【００６８】
また上述のように、下ケース体９及び上ケース体１０の前部は、平面視において円弧状である。上ケース体１０は、例えば図１４から図１６に示すように、前側爪部３９を円弧状の前部の中央部に有してもよい。前側爪部３９は、一例として前方に突出する部分を有する。また下ケース体９は、例えば図１０から図１３に示すように、前側爪受部４０を円弧状の前部の中央部に有してもよい。前側爪受部４０は、前側爪部３９が嵌め込まれる部位である。下ケース体９と上ケース体１０とは、例えば前側爪部３９が前側爪受部４０に嵌め込まれることによって固定される。
【００６９】
次に、着脱手段の一例である着脱レバー１５の動きについて説明する。図１８は、実施の形態１の着脱レバー１５がレバー受部９ａに嵌め込まれた状態を示す図である。図１８（ａ）は、着脱レバー１５がレバー受部９ａに嵌め込まれた状態を示す正面図である。図１８（ｂ）は、着脱レバー１５がレバー受部９ａに嵌め込まれた状態を示す断面イメージ図である。
【００７０】
図１９は、実施の形態１の着脱レバー１５がレバー受部９ａから取り外された状態を示す図である。図１９（ａ）は、着脱レバー１５がレバー受部９ａから取り外された状態を示す正面図である。図１９（ｂ）は、着脱レバー１５がレバー受部９ａから取り外された状態を示す断面イメージ図である。
【００７１】
図１８及び図１９において、紙面上の左右方向は長手方向である。また図１８及び図１９において、紙面上の右方向は長手方向外方向である。図１８及び図１９において、紙面上の左方向は、長手方向内方向である。
【００７２】
上述のように着脱レバー１５は、一例として長手方向に沿って移動できるように形成される。着脱レバー１５は、例えば爪部１５ａを有する。爪部１５ａは、長手方向に突出するように形成される。爪部１５ａは、レバー受部９ａに着脱される部位である。本実施の形態のレバー受部９ａは、着脱レバー１５の爪部１５ａが嵌め込まれる爪受部の一例である。
【００７３】
爪部１５ａは、例えば図１８に示すように、着脱レバー１５が長手方向外側に向かって移動することによってレバー受部９ａに嵌め込まれる。また爪部１５ａは、例えば図１９に示すように、着脱レバー１５が長手方向内側に向かってに移動することによってレバー受部９ａから取り外される。
【００７４】
次に、本実施の形態の吸込具６及び吸込具６を備えた電気掃除機の効果について説明する。本実施の形態の吸込具６は、下ケース体９に対して上ケース体１０を着脱させる着脱手段の一例として、着脱レバー１５を備える。これにより、使用者は、上ケース体１０を容易に着脱させることができる。
【００７５】
また吸込具６は、下ケース体９と上ケース体１０とによって保持される回転ブラシ２５を備える。回転ブラシ２５は、上ケース体１０が下ケース体９に対して取り外されると着脱自在になる。本実施の形態であれば、使用者は回転ブラシ２５を容易に取り外すことができる。これにより、使用者は、回転ブラシ２５を容易に清掃することができる。
【００７６】
また本実施の形態の吸込具６は、一例として、下ケース体９と上ケース体１０とによって保持される車輪２７を備える。車輪２７は、第１歯車２６及び第２歯車２８を介して回転ブラシ２５に接続される。すなわち車輪２７は、回転ブラシ２５を回転させるものである。本実施の形態においては、回転ブラシ２５を回転させる車輪２７は、上ケース体１０が下ケース体９に対して取り外されると着脱自在になる。本実施の形態であれば、使用者は、回転ブラシ２５だけでなく、車輪２７も容易に取り外すことができる。
【００７７】
また下ケース体９は、吸込口１２から開口２０ａにかけて形成される下壁部３２を有する。上ケース体１０は、下壁部３２と組み合わさることによって、吸込具本体７の内部に風路を形成する上壁部３６を有する。上壁部３６と下壁部３２とは、吸込口１２から開口２０ａにかけて吸込風路３７を形成する。使用者は、上ケース体１０を下ケース体９に対して取り外すことによって、吸込口１２から開口２０ａまでの部分を容易に清掃することができる。本実施の形態であれば、吸込具６の内部を清掃することがより容易になる。
【００７８】
本実施の形態において、上ケース体縁部３８は、下ケース体縁部３３によって外周を覆われる。これにより、下ケース体９と上ケース体１０との合わせ面が外部から見えにくくなる。これにより、吸込具６の意匠性が高まる。また上ケース体縁部３８を下ケース体縁部３３に当てながら上ケース体１０を下ケース体９に対して取り付けることができる。本実施の形態であれば、上ケース体１０を取り付けることがより容易になる。
【００７９】
なお吸込具６は、例えば下ケース体縁部３３が上ケース体縁部３８によって外周を覆われるように構成されてもよい。本例であれば、下ケース体縁部３３を上ケース体縁部３８が覆うことによって、上方から吸込具本体７内部へ塵埃が侵入することが防止される
【００８０】
また本実施の形態であれば使用者は、着脱レバー１５を移動させることによって、上ケース体１０を下ケース体９に対して容易に着脱させることができる。また着脱レバー１５は、上ケース体１０の後部に設けられる。これにより、例えば吸込具６が使用される際、吸込具６の周囲の者に着脱レバー１５が当たることが防止される。本実施の形態であれば、着脱レバー１５が誤って動いてしまうことが防止される。
【００８１】
着脱レバー１５は、本実施の形態のように、吸込具本体７の最上部よりも低い位置に配置されてもよい。これにより、着脱レバー１５が誤って動いてしまうことがより防止される。また、例えば吸込具本体７の上方の被清掃物が着脱レバー１５に引っかかってしまうことが防止される。
【００８２】
なお着脱レバー１５は、本実施の形態以外にも、例えば下ケース体９に設けられてもよい。着脱レバー１５が嵌め込まれる部分は、上ケース体１０に形成されてもよい。また下ケース体９に対して上ケース体１０を着脱させる着脱手段は、本実施の形態の着脱レバー１５に限定されない。
【００８３】
本実施の形態において着脱レバー１５の爪部１５ａは、着脱レバー１５が長手方向外側に向かって移動することによってレバー受部９ａに嵌め込まれる。吸込具本体７の中心からより遠い位置で着脱レバー１５がレバー受部９ａに嵌め込まれることによって、下ケース体９と上ケース体１０とがより確実に固定される。
【００８４】
また本実施の形態の吸込具本体７の前部は平面視において円弧状である。これにより、吸込具本体７の意匠性がよい。また、例えばふとんなどの軟質の被清掃物を清掃する際に、被清掃物が吸込具本体に引っ掛かりにくくなる。
【００８５】
また上ケース体１０は、前側爪部３９を円弧状の前部の中央部に有する。下ケース体９は、前側爪受部４０を円弧状の前部の中央部に有する。着脱レバー１５がレバー受部９ａに嵌め込まれた状態で、さらに前側爪部３９が前側爪受部４０に嵌め込まれることによって、下ケース体９と上ケース体１０とがより確実に固定される。
【００８６】
本実施の形態の上ケース体１０の後部には、着脱レバー１５と上接続部２３との間に手掛部２４が形成される。使用者は、着脱レバー１５を長手方向内側へ向かって移動させたのちに手掛部２４に手をかけることができる。本例であれば、使用者は、より容易に上ケース体１０を下ケース体９に対して取り外すことができる。また手掛部２４は、上接続部２３に連なっている。上接続部２３は、継手８と接続される部位であるため、外部からの力がかかりやすい。本例であれば、手掛部２４によって上接続部２３が補強される。
【００８７】
ここで、図２０は、実施の形態１の着脱レバー１５がレバー受部９ａに嵌め込まれる動きを示す図である。本実施の形態においてレバー受部９ａの上部には、長手方向外側から長手方向内側にかけて下方へ傾斜する傾斜面が形成される。
【００８８】
例えば着脱レバー１５が長手方向外側に移動した状態において、使用者が上ケース体１０を下ケース体９に取り付けようとすると、図２０に示すように、着脱レバー１５がレバー受部９ａの上部に当たる。例えば着脱レバー１５がレバー受部９ａの上部に当たった状態で上ケース体１０に下方向への荷重が加えられると、着脱レバー１５はレバー受部９ａの傾斜面を滑って移動する。
【００８９】
本実施例であれば、着脱レバー１５がレバー受部９ａに当たってしまっても、上ケース体１０は容易に下ケース体９に取り付けられる。また例えば図１８から図２０に示すように、爪部１５ａの下部にも、長手方向外側から長手方向内側にかけて下方へ傾斜する傾斜面が形成されてもよい。これにより、上ケース体１０はより取り付けやすくなる。
【００９０】
また図２１は、実施の形態１の前側爪部３９が前側爪受部４０に嵌め込まれる動きを示す断面イメージ図である。また図２２は、実施の形態１の前側爪部３９が前側爪受部４０に嵌め込まれた状態を示す断面イメージ図である。
【００９１】
本実施の形態において使用者は、上ケース体１０を下ケース体９に取り付ける際、通常は前側爪部３９を前側爪受部４０に嵌め込んだ後に着脱レバー１５をレバー受部９ａに嵌め込む。着脱レバー１５がレバー受部９ａに嵌めこまれた後に前側爪部３９が前側爪受部４０に嵌め込まれる場合、例えば図２１に示すように、前側爪部３９の下部と前側爪受部４０の上部と互いに対向してしまう。
【００９２】
前側爪部３９は、前側爪受部４０の上部に接触しているとき、上ケース体１０に前部に上方から下方に向かう荷重が加わるとたわむように構成されてもよい。すなわち、前側爪部３９は弾性変形することによって、図２２に示すように前側爪受部４０に嵌め込まれてもよい。本例であれば使用者は、例えば着脱レバー１５がレバー受部９ａに嵌めこまれた状態であっても、前側爪部３９を前側爪受部４０に容易に嵌め込ませることができる。
【符号の説明】
【００９３】
１  掃除機本体、  ２  吸引ホース、  ３  接続パイプ、  ４  ハンドル体、  ５  延長管、  ６  吸込具、  ７  吸込具本体、  ８  継手、  ９  下ケース体、  ９ａ  レバー受部（爪受部）、  １０  上ケース体、  １１  底面、  １２  吸込口、  １３  吸着防止リブ、  １４  高さ増加リブ、  １５  着脱レバー、  １５ａ  爪部、  １６  レバー保持部、  １７  吸込力調整孔、  １８  継手円筒部、  １９  抜止片、  ２０  本体円筒部（接続部）、  ２０ａ  開口、  ２１  溝部、  ２２  孔部、  ２２ａ貫通孔、  ２３  上接続部、  ２４  手掛部、  ２５  回転ブラシ、  ２５ａ  ブラシ軸、  ２６  第１歯車、  ２７  車輪、  ２７ａ  車軸、  ２８  第２歯車、  ２９  下車輪保持部、  ２９ａ  凹部、  ３０  車輪突出口、  ３１  下歯車保持部、  ３２  下壁部、  ３２ａ  ブラシ保持凹部、  ３３  下ケース体縁部、  ３４  上車輪保持部、  ３４ａ  凸部、  ３５  上歯車保持部、  ３６  上壁部、  ３７  吸込風路、  ３８  上ケース体縁部、  ３９  前側爪部、  ４０  前側爪受部
【図１】
2017184953.tif 000003
【図２】
2017184953.tif 000004
【図３】
2017184953.tif 000005
【図４】
2017184953.tif 000006
【図５】
2017184953.tif 000007
【図６】
2017184953.tif 000008
【図７】
2017184953.tif 000009
【図８】
2017184953.tif 000010
【図９】
2017184953.tif 000011
【図１０】
2017184953.tif 000012
【図１１】
2017184953.tif 000013
【図１２】
2017184953.tif 000014
【図１３】
2017184953.tif 000015
【図１４】
2017184953.tif 000016
【図１５】
2017184953.tif 000017
【図１６】
2017184953.tif 000018
【図１７】
2017184953.tif 000019
【図１８】
2017184953.tif 000020
【図１９】
2017184953.tif 000021
【図２０】
2017184953.tif 000022
【図２１】
2017184953.tif 000023
【図２２】
2017184953.tif 000024